(57)【要約】フィルムコンデンサは、コンデンサ素子（１００）と、一端部に前記コンデンサ素子（１００）の後側端面電極（１０２）に接続される第１電極接続部（２１０）を有し、他端部に第１接続端子部（２２０）を有する第１バスバー（２００）と、一端部にコンデンサ素子（１００）の前側端面電極（１０１）に接続される第２電極接続部（３１０）を有し、他端部に第２接続端子部（３２０）を有する第２バスバー（３００）とを備える。第１バスバー（２００）は、第１接続端子部（２２０）よりも第１電極接続部（２１０）側の位置において分岐され、コンデンサ素子（１００）の周面（１０３）に沿って前側端面電極（１０１）側へと延びる分岐部（２４０）を含み、第２バスバー（３００）は、コンデンサ素子（１００）の周面（１０３）に沿うとともに分岐部（２４０）の少なくとも一部と重なり合う重合部（３４０）を含む。
2018173520.tif 000002
【特許請求の範囲】
【請求項１】
両端面に電極を有するコンデンサ素子と、
一端部に前記コンデンサ素子の一方の電極に接続される第１の電極接続部を有し、他端部に外部端子へ接続可能な第１の接続端子部を有する第１のバスバーと、
一端部に前記コンデンサ素子の他方の電極に接続される第２の電極接続部を有し、他端部に外部端子へ接続可能な第２の接続端子部を有する第２のバスバーと、を備え、
前記第１のバスバーは、前記第１の接続端子部よりも前記第１の電極接続部側の位置において分岐され、前記コンデンサ素子の周面に沿って前記他方の電極側へと延びる分岐部を含み、
前記第２のバスバーは、前記コンデンサ素子の周面に沿うとともに前記分岐部の少なくとも一部と重なり合う重合部を含む、
ことを特徴とするコンデンサ。
【請求項２】
請求項１に記載のコンデンサにおいて、
前記第１のバスバーは、前記第１の電極接続部に対して前記一方の電極に沿う方向の先に前記第１の接続端子部が設けられ、前記第１の接続端子部よりも前記第１の電極接続部側の前記一方の電極の外側位置から前記分岐部が分岐する構成とされ、
前記第２のバスバーは、前記重合部が、前記第２の電極接続部から続くようにして前記分岐部の外側を前記コンデンサ素子の周面に沿って前記第１の接続端子部側へと延び、前記重合部の先端部に前記第２の接続端子部が、前記第１の接続端子部の隣に並ぶように設けられる構成とされる、
ことを特徴とするコンデンサ。
【請求項３】
請求項１または２に記載のコンデンサにおいて、
前記分岐部と前記重合部との間に介在された絶縁性の仕切部をさらに備え、
前記仕切部の前記第２の電極接続部側の端部は、前記分岐部の先端部と前記第２の電極接続部との間に介在されるように、前記第２の電極接続部に沿って延ばされる、
ことを特徴とするコンデンサ。
【請求項４】
請求項１ないし３の何れか一項に記載のコンデンサにおいて、
第１のバスバーは、前記第１の電極接続部と前記第１の接続端子部とを含む本体部を含み、
前記分岐部は、前記本体部とは別体に形成され、
前記分岐部に設けられた差込部が前記本体部に設けられた差込口部に差し込まれることにより、前記分岐部が前記本体部に固定され、
前記差込部と前記差込口部とに接合剤による接合または溶接が施される、
ことを特徴とするコンデンサ。
【請求項５】
請求項１ないし４の何れか一項に記載のコンデンサにおいて、
前記第１のバスバーおよび前記第２のバスバーは、それぞれ、前記コンデンサ素子の周面における、前記分岐部と前記重合部とに覆われる領域以外の所定の領域を覆うように設けられる第１の覆い部および第２の覆い部を含み、
前記第１の覆い部と前記第２の覆い部とが互いに重なり合う、
ことを特徴とするコンデンサ。
【発明の詳細な説明】
【技術分野】
【０００１】
本発明は、フィルムコンデンサ等のコンデンサに関する。
【背景技術】
【０００２】
金属化フィルムを積層または巻回してなるコンデンサ素子の両端面にメタリコン電極を形成し、それぞれのメタリコン電極にバスバーを接続し、一対のバスバーの一部を、絶縁板を間に挟んで重ね合わせ、バスバーが有するインダンクタンス成分であるＥＳＬ（等価直列インダクタンス）を低減させるようにしたケースモールド型コンデンサが、特許文献１に記載されている。
【先行技術文献】
【特許文献】
【０００３】
【特許文献１】特開２０１０−２５１４００号公報
【発明の概要】
【発明が解決しようとする課題】
【０００４】
特許文献１のケースモールド型コンデンサでは、一対のバスバーにおいて、互いに重ね合される重複部は、コンデンサ素子の周面側から、ケースが開口方向（上方）に立ち上がるように形成される。これにより、ケースモールド型コンデンサのサイズが、立ち上がった重複部の分、ケースの開口方向に大きくなり易かった。【０００５】
これに対し、ケースモールド型コンデンサのサイズを抑えるために、重複部の長さを短くしてしまうと、ＥＳＬの低減効果が十分に確保できなくなる虞がある。【０００６】
かかる課題に鑑み、本発明は、サイズ増加を抑制しつつ、ＥＳＬの低減効果を十分に確保でき得るコンデンサを提供することを目的とする。
【課題を解決するための手段】
【０００７】
本発明の主たる態様に係るコンデンサは、両端面に電極を有するコンデンサ素子と、一端部に前記コンデンサ素子の一方の電極に接続される第１の電極接続部を有し、他端部に外部端子へ接続可能な第１の接続端子部を有する第１のバスバーと、一端部に前記コンデンサ素子の他方の電極に接続される第２の電極接続部を有し、他端部に外部端子へ接続可能な第２の接続端子部を有する第２のバスバーと、を備える。ここで、前記第１のバスバーは、前記第１の接続端子部よりも前記第１の電極接続部側の位置において分岐され、前記コンデンサ素子の周面に沿って前記他方の電極側へと延びる分岐部を含み、前記第２のバスバーは、前記コンデンサ素子の周面に沿うとともに前記分岐部の少なくとも一部と重なり合う重合部を含む。
【発明の効果】
【０００８】
本発明によれば、サイズ増加を抑制しつつ、ＥＳＬの低減効果を十分に確保でき得るコンデンサを提供することができる。【０００９】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態に記載されたものに何ら制限されるものではない。
【図面の簡単な説明】
【００１０】
【図１】図１は、実施の形態に係る、フィルムコンデンサの斜視図である。
【図２】図２は、実施の形態に係る、コンデンサユニットがケースに収容される前の状態を示す、フィルムコンデンサの分解斜視図である。
【図３】図３は、実施の形態に係る、コンデンサユニットの分解斜視図である。
【図４】図４は、実施の形態に係る、第１バスバーの分解斜視図である。
【図５】図５は、本実施の形態に係る、左から２つ目の第１接続端子部と左から２つ目の第２接続端子部との間の位置で前後方向に切断されたコンデンサユニットの側面断面図である。
【図６】図６（ａ）は、変更例１に係る、コンデンサユニットの模式的な底面図であり、図６（ｂ）は、変更例１に係る、コンデンサユニットの模式的な側面図である。図６（ｃ）は、変更例２に係る、コンデンサユニットの模式的な底面図であり、図６（ｄ）は、変更例２に係る、コンデンサユニットの模式的な側面図である。
【発明を実施するための形態】
【００１１】
以下、本発明のコンデンサの一実施形態であるフィルムコンデンサ１について図面を参照して説明する。便宜上、各図には、適宜、前後、左右および上下の方向が付記されている。なお、図示の方向は、あくまでフィルムコンデンサ１の相対的な方向を示すものであり、絶対的な方向を示すものではない。
【００１２】
本実施の形態において、フィルムコンデンサ１が、特許請求の範囲に記載の「コンデンサ」に対応する。また、前側端面電極１０１が、特許請求の範囲に記載の「他方の電極」に対応し、後側端面電極１０２が、特許請求の範囲に記載の「一方の電極」に対応する。さらに、第１バスバー２００が、特許請求の範囲に記載の「第１のバスバー」に対応する。さらに、第１電極接続部２１０が、特許請求の範囲に記載の「第１の電極接続部」に対応する。さらに、差込孔２１３が、特許請求の範囲に記載の「差込口部」に対応する。さらに、第１接続端子部２２０が、特許請求の範囲に記載の「第１の接続端子部」に対応する。さらに、差込片２４１が、特許請求の範囲に記載の「差込部」に対応する。さらに、第２バスバー３００が、特許請求の範囲に記載の「第２のバスバー」に対応する。さらに、第２電極接続部３１０が、特許請求の範囲に記載の「第２の電極接続部」に対応する。さらに、第２接続端子部３２０が、特許請求の範囲に記載の「第２の接続端子部」に対応する。さらに、第１絶縁シート４００が、特許請求の範囲に記載の「仕切部」に対応する。さらに、前端部４０１が、特許請求の範囲に記載の「第２の電極接続部側の端部」に対応する。
【００１３】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００１４】
図１は、本実施の形態に係る、フィルムコンデンサ１の斜視図である。図２は、本実施の形態に係る、コンデンサユニット１０がケース２０に収容される前の状態を示す、フィルムコンデンサ１の分解斜視図である。図３は、本実施の形態に係る、コンデンサユニット１０の分解斜視図である。図４は、本実施の形態に係る、第１バスバー２００の分解斜視図である。図５は、本実施の形態に係る、左から２つ目の第１接続端子部２２０と左から２つ目の第２接続端子部３２０との間の位置で前後方向に切断されたコンデンサユニット１０の側面断面図である。
【００１５】
フィルムコンデンサ１は、コンデンサユニット１０と、コンデンサユニット１０が収容されるケース２０と、ケース２０に充填される充填樹脂３０とを備える。ケース２０は、左右方向に長いほぼ直方体の箱状を有し、上面が開口する。ケース２０は、たとえば、ポリフェニレンサルファイド（ＰＰＳ）等の熱可塑性樹脂により形成される。充填樹脂３０は、エポキシ樹脂等の熱硬化性樹脂からなり、溶融状態でケース２０内に注入され、ケース２０が加熱されることにより硬化する。充填樹脂３０は、コンデンサ素子（後述する）を含むコンデンサユニット１０の大部分を覆い、これらを湿気や衝撃から保護する。
【００１６】
コンデンサユニット１０は、４個のコンデンサ素子１００と、第１バスバー２００と、第２バスバー３００と、第１絶縁シート４００と、第２絶縁シート５００と、第３絶縁シート６００とを含む。
【００１７】
コンデンサ素子１００は、誘電体フィルム上にアルミニウムを蒸着させた２枚の金属化フィルムを重ね、重ねた金属化フィルムを巻回または積層し、扁平状に押圧することにより形成される。コンデンサ素子１００には、前側の端面に、亜鉛等の金属の吹付けにより前側端面電極１０１が形成され、後側の端面に、同じく亜鉛等の金属の吹付けにより後側端面電極１０２が形成される。
【００１８】
４個のコンデンサ素子１００は、その周面１０３同士が隣り合うように一列に並べられ、この状態でケース２０内に収容される。ケース２０内に収容された状態において、各コンデンサ素子１００は、前側端面電極１０１がケース２０の前側面に対向し、後側端面電極１０２がケース２０の後側面に対向する。
【００１９】
なお、本実施の形態のコンデンサ素子１００は、誘電体フィルム上にアルミニウムを蒸着させた金属化フィルムにより形成されたが、これ以外にも、亜鉛、マグネシウム等の他の金属を蒸着させた金属化フィルムにより形成されてもよい。あるいは、コンデンサ素子１００は、これらの金属のうち、複数の金属を蒸着させた金属化フィルムにより形成されてもよいし、これらの金属どうしの合金を蒸着させた金属化フィルムにより形成されてもよい。
【００２０】
第１バスバー２００は、導電性材料、たとえば、銅板により形成され、第１電極接続部２１０と、３つの第１接続端子部２２０と、第１サイド接続端子部２３０と、分岐部２４０とを含む。図４に示すように、第１電極接続部２１０と３つの第１接続端子部２２０と第１サイド接続端子部２３０は、第１バスバー２００の本体部２００ａに含まれる。本体部２００ａは、たとえば、一枚の銅板を適宜切り抜き、折り曲げることによって形成され、これら第１電極接続部２１０と第１接続端子部２２０と第１サイド接続端子部２３０とが一体となっている。分岐部２４０は、たとえば、銅板によって形成され、本体部２００ａとは別体であり、本体部２００ａと組み合わされる。
【００２１】
第１電極接続部２１０は、横長の長方形の板状を有し、コンデンサ素子１００の後側端面電極１０２を覆う。第１電極接続部２１０には、各コンデンサ素子１００の後側端面電極１０２に対応する位置に、長方形状の開口部２１１が形成される。各開口部２１１の周縁には、２つの電極ピン２１２が形成され、これら電極ピン２１２が半田付け等の接続方法によって後側端面電極１０２に電気的に接続される。
【００２２】
第１電極接続部２１０の上端部、即ち、第１電極接続部２１０に対して後側端面電極１０２に沿う方向の先に、３つの第１接続端子部２２０が設けられる。各第１接続端子部２２０は、縦長の長方形の板状を有し、互いに所定の間隔を置いて左右方向、即ち、４つのコンデンサ素子１００の配列方向（ケース２０の長手方向）に並ぶ。各第１接続端子部２２０は、その上部が僅かに前側に張り出すよう、その下部が折り曲げられている。各第１接続端子部２２０には、表裏を貫通する円形の取付穴２２１が形成される。この取付穴２２１を用いたねじ止めにより、各第１接続端子部２２０に外部端子（図示せず）が接続される。
【００２３】
第１サイド接続端子部２３０は、第１電極接続部２１０の右端部の上部から右方向に張り出すように設けられる。第１サイド接続端子部２３０には、先端部２３１に、表裏を貫通する円形の取付穴２３２が形成される。この取付穴２３２を用いたねじ止めにより、第１サイド接続端子部２３０の先端部２３１に外部端子（図示せず）が接続される。
【００２４】
分岐部２４０は、横長の長方形の板状を有する。分岐部２４０の前後の寸法Ｄ１は、コンデンサ素子１００の両端面間の寸法Ｄ３より僅かに小さくされ、分岐部２４０の左右の寸法Ｄ２は、第１電極接続部２１０の左右の寸法Ｄ４とほぼ等しくされる。  図５に示すように、分岐部２４０は、第１電極接続部２１０の上端部の位置から分岐し、コンデンサ素子１００の上側の周面１０３に沿って前側端面電極１０１の近傍の位置まで延びる。第１電極接続部２１０の上端部の位置は、第１バスバー２００における、第１接続端子部２２０よりも第１電極接続部２１０側であってコンデンサ素子１００の後側端面電極１０２の外側の位置（上側位置）である。
【００２５】
図４に示すように、分岐部２４０には、後端部に複数の差込片２４１が形成される。一方、本体部２００ａには、第１電極接続部２１０の上端部の位置に、各差込片２４１に対応する差込孔２１３が形成される。差込片２４１が差込孔２１３に差し込まれることにより、分岐部２４０が本体部２００ａに固定される。さらに、差込片２４１と差込孔２１３とに半田付け行われ、これら両者が半田にて接合される。なお、差込片２４１と差込孔２１３とは、半田以外の接合剤によって接合されてもよい。あるいは、差込片２４１と差込孔２１３とに溶接が施されてもよい。
【００２６】
第２バスバー３００は、導電性材料、たとえば、銅板により形成され、第２電極接続部３１０と、３つの第２接続端子部３２０と、第２サイド接続端子部３３０と、重合部３４０とを含む。第２バスバー３００は、たとえば、一枚の銅板を適宜切り抜き、折り曲げることによって形成され、これら第２電極接続部３１０と、３つの第２接続端子部３２０と、第２サイド接続端子部３３０と、重合部３４０とが一体となっている。
【００２７】
第２電極接続部３１０は、横長の長方形の板状を有し、コンデンサ素子１００の前側端面電極１０１を覆う。第２電極接続部３１０には、各コンデンサ素子１００の前側端面電極１０１に対応する位置に、長方形状の開口部３１１が形成される。各開口部３１１の周縁には、２つの電極ピン３１２が形成され、これら電極ピン３１２が半田付け等の接続方法によって前側端面電極１０１に電気的に接続される。
【００２８】
重合部３４０は、第２電極接続部３１０の上端部から続くようにして分岐部２４０の外側（上側）をコンデンサ素子１００の周面１０３に沿って第１接続端子部２２０の近傍の位置まで延びる（図５参照）。重合部３４０の左右の寸法Ｄ５は、分岐部２４０の左右の寸法Ｄ２よりも僅かに大きくされる。分岐部２４０は、そのほぼ全体が重合部３４０と上下方向に重なり合う。
【００２９】
重合部３４０の先端部（後端部）に、重合部３４０から立ち上がるようにして３つの第２接続端子部３２０が設けられる。各第２接続端子部３２０は、縦長の長方形の板状を有する。各第２接続端子部３２０は、各第１接続端子部２２０の右隣に並ぶ。各第２接続端子部３２０には、表裏を貫通する円形の取付穴３２１が形成される。この取付穴３２１を用いたねじ止めにより、各第２接続端子部３２０に外部端子（図示せず）が接続される。
【００３０】
第２サイド接続端子部３３０は、右端の第２接続端子部３２０から右方向に張り出すように設けられる。第２サイド接続端子部３３０には、先端部３３１に、表裏を貫通する円形の取付穴３３２が形成される。この取付穴３３２を用いたねじ止めにより、第２サイド接続端子部３３０の先端部３３１に外部端子（図示せず）が接続される。第２サイド接続端子部３３０の先端部３３１は、第１サイド接続端子部２３０の先端部２３１の右隣に並ぶ。
【００３１】
第１絶縁シート４００、第２絶縁シート５００および第３絶縁シート６００は、絶縁紙やアクリル、シリコン等の絶縁性を有する樹脂材料により形成される。
【００３２】
第１絶縁シート４００は、横長の長方形状を有し、第１バスバー２００の分岐部２４０と第２バスバー３００の重合部３４０との間に介在される。第１絶縁シート４００の左右の寸法Ｄ６は、分岐部２４０の左右の寸法Ｄ２よりも大きくされる。また、第１絶縁シート４００の第２電極接続部３１０側の端部である前端部４０１は、下向きに折り曲げられ、分岐部２４０の先端部と第２電極接続部３１０との間に介在されるように第２電極接続部３１０に沿って下方に延ばされている。さらに、第１絶縁シート４００の第１電極接続部２１０側の端部である後端部４０２は、上向きに折り曲げられ、第２接続端子部３２０の根元部と第１電極接続部２１０の上端部との間に介在されるように、第１電極接続部２１０に沿って上方に延ばされている（図５参照）。
【００３３】
第２絶縁シート５００は、横長の長方形状を有し、第１バスバー２００の分岐部２４０と各コンデンサ素子１００の上側の周面１０３との間に介在される。第３絶縁シート６００は、やや横長の長方形状を有し、第１サイド接続端子部２３０と第２サイド接続端子部３３０とが重なる領域において、これらの間に介在される。
【００３４】
さて、フィルムコンデンサ１は、たとえば、自動車等のインバータ回路に組み込まれる。インバータ回路のパワーモジュールがスイッチング動作を行った場合、フィルムコンデンサ１に印加される交流電圧にＭＨｚ以上の高周波成分が重畳し得る。フィルムコンデンサ１では、このような高周波成分に対しては、コンデンサ素子１００のインピーダンスよりも第１バスバー２００の分岐部２４０と第２バスバー３００の重合部３４０との間のインピーダンスが低くなる。このため、図５の矢印に示すように、分岐部２４０と重合部３４０との間に電流が流れて、インダクタンスの相殺が生じる。これにより、フィルムコンデンサ１でのＥＳＬ（等価直列インダクタンス）が低減される。
【００３５】
フィルムコンデンサ１側でのＥＳＬの低減により、インバータ回路のパワーモジュールとフィルムコンデンサ１とで形成される閉回路の総合インダクタンスが低減されるので、パワーモジュールがスイッチング動作を行ったときのサージ電圧が抑制され、パワーモジュール等の破損が防止される。
【００３６】
＜実施の形態の効果＞
以上、本実施の形態によれば、以下の効果が奏される。
【００３７】
第１バスバー２００および第２バスバー３００に、互いに重ね合される分岐部２４０および重合部３４０が設けられることにより、フィルムコンデンサ１でのＥＳＬを低減することができる。
【００３８】
しかも、分岐部２４０および重合部３４０が、コンデンサ素子１００の周面１０３に沿って延び、上下方向（ケース２０の開口方向）に重なっているので、分岐部２４０および重合部３４０が周面１０３側から立ち上がるような構成と異なり、フィルムコンデンサ１のサイズの増加が抑制される。
【００３９】
また、第１バスバー２００は、第１電極接続部２１０に対して後側端面電極１０２に沿う方向の先に第１接続端子部２２０が設けられ、第１接続端子部２２０よりも第１電極接続部２１０側の後側端面電極１０２の外側位置から分岐部２４０が分岐する構成とされているので、分岐部２４０を、後側端面電極１０２の近傍位置から前側端面電極１０１側に向けて長く延ばすことができる。一方、第２バスバー３００は、重合部３４０が、第２電極接続部３１０から続くようにして分岐部２４０の外側をコンデンサ素子１００の周面１０３に沿って第１接続端子部２２０側へと延び、重合部３４０の先端部に第２接続端子部３２０が、第１接続端子部２２０の隣に並ぶように設けられる構成とされているので、重合部３４０を、前側端面電極１０１の近傍位置から後側端面電極１０２側に向けて長く延ばすことができる。これにより、分岐部２４０と重合部３４０との重なり部分を長くすることができるので、ＥＳＬの低減効果を高めることができる。
【００４０】
さらに、分岐部２４０と重合部３４０との間に介在される第１絶縁シート４００は、その前端部４０１が、分岐部２４０の先端部と第２電極接続部３１０との間に介在されるように第２電極接続部３１０に沿って延ばされる構成とされており、前端部４０１の介在によって、分岐部２４０の先端部を第２電極接続部３１０に近づけてもこれらの間の沿面距離を十分に保つことが可能となる。これにより、分岐部２４０を長くできるので、分岐部２４０と重合部３４０との重なり部分を長くでき、ＥＳＬの低減効果を高めることができる。
【００４１】
さらに、第１バスバー２００は、差込片２４１を差込孔２１３に差し込むことにより、本体部２００ａと分岐部２４０とを容易に組み合わせることができる。しかも、差込片２４１と差込孔２１３とに接合剤による接合または溶接が施されるので、本体部２００ａと分岐部２４０とを電気的に強固に接続できる。これにより、分岐部２４０と重合部３４０との間に電流が流れるときに本体部２００ａと分岐部２４０との間で円滑に電流が流れるので、ＥＳＬを良好に低減させることができる。
【００４２】
以上、本発明の実施の形態について説明したが、本発明は、上記実施の形態に限定されるものではなく、また、本発明の適用例も、上記実施の形態の他に、種々の変更が可能である。
【００４３】
＜変更例１＞
図６（ａ）は、変更例１に係る、コンデンサユニット１０の模式的な底面図であり、図６（ｂ）は、変更例１に係る、コンデンサユニット１０の模式的な側面図である。
【００４４】
本変更例において、第１左延設部２５０および第１右延設部２６０が、特許請求の範囲に記載の「第１の覆い部」に対応する。また、第２左延設部３５０および第２右延設部３６０が、特許請求の範囲に記載の「第２の覆い部」に対応する。
【００４５】
本変更例では、第１バスバー２００において、左端のコンデンサ素子１００の左側の周面１０３を覆うように、第１電極接続部２１０の左端部から第１左延設部２５０が延設されるとともに、右端のコンデンサ素子１００の右側の周面１０３を覆うように、第１電極接続部２１０の右端部から第１右延設部２６０が延設される。一方、第２バスバー３００において、第１左延設部２５０の外側から左端のコンデンサ素子１００の左側の周面１０３を覆うように、第２電極接続部３１０の左端部から第２左延設部３５０が延設されるとともに、第１右延設部２６０の外側から右端のコンデンサ素子１００の右側の周面１０３を覆うように、第２電極接続部３１０の右端部から第２右延設部３６０が延設される。第１左延設部２５０、第１右延設部２６０、第２左延設部３５０および第２右延設部３６０は、縦長の長方形の板状を有する。
【００４６】
第１左延設部２５０と第２左延設部３５０との間に第４左絶縁シート７１０が介在され、第１左延設部２５０とコンデンサ素子１００の周面１０３との間に第５左絶縁シート８１０が介在される。同様に、第１右延設部２６０と第２右延設部３６０との間に第４右絶縁シート７２０が介在され、第１右延設部２６０とコンデンサ素子１００の周面１０３との間に第５右絶縁シート８２０が介在される。第４左絶縁シート７１０、第４右絶縁シート７２０、第５左絶縁シート８１０および第５右絶縁シート８２０は、絶縁紙やアクリル、シリコン等の絶縁性を有する樹脂材料により形成される。
【００４７】
第１左延設部２５０と第２左延設部３５０とは、互いに重なり合い、第１右延設部２６０と第２右延設部３６０とは、互いに重なり合う。これにより、分岐部２４０と重合部３４０との構成と同様、フィルムコンデンサ１でのＥＬＳを低減する効果が期待される。
【００４８】
なお、第１左延設部２５０および第１右延設部２６０が、分岐部２４０の左端部および右端部から延設されてもよく、第２左延設部３５０および第２右延設部３６０が、重合部３４０の左端部および右端部から延設されてもよい。また、第１左延設部２５０と第２左延設部３５０との構成および第１右延設部２６０と第２右延設部３６０との構成のうち一方のみが設けられてもよい。さらに、第１左延設部２５０および第１右延設部２６０が、第２左延設部３５０および第２右延設部３６０の外側に設けられる構成が採られてもよい。
【００４９】
＜変更例２＞
図６（ｃ）は、変更例２に係る、コンデンサユニット１０の模式的な底面図であり、図６（ｄ）は、変更例２に係る、コンデンサユニット１０の模式的な側面図である。
【００５０】
本変更例において、第１下延設部２７０が、特許請求の範囲に記載の「第１の覆い部」に対応する。また、第２下延設部３７０が、特許請求の範囲に記載の「第２の覆い部」に対応する。
【００５１】
本変更例では、第１バスバー２００において、各コンデンサ素子１００の下側の周面１０３を覆うように、第１電極接続部２１０の下端部から第１下延設部２７０が延設される。一方、第２バスバー３００において、第１下延設部２７０の外側からコンデンサ素子１００の下側の周面１０３を覆うように、第２電極接続部３１０の下端部から第２下延設部３７０が延設される。第１下延設部２７０および第２下延設部３７０は、横長の長方形の板状を有する。
【００５２】
第１下延設部２７０と第２下延設部３７０との間に第４下絶縁シート７３０が介在され、第１下延設部２７０とコンデンサ素子１００の周面１０３との間に第５下絶縁シート８３０が介在される。第４下絶縁シート７３０および第５下絶縁シート８３０は、絶縁紙やアクリル、シリコン等の絶縁性を有する樹脂材料により形成される。
【００５３】
第１下延設部２７０と第２下延設部３７０とは、互いに重なり合う。これにより、分岐部２４０と重合部３４０との構成と同様、フィルムコンデンサ１でのＥＬＳを低減する効果が期待される。
【００５４】
なお、第１下延設部２７０が、第２下延設部３７０の外側に設けられる構成が採られてもよい。また、上記の構成に、変更例１の第１左延設部２５０と第２左延設部３５０との構成および第１右延設部２６０と第２右延設部３６０との構成のうち、少なくとも一方の構成が組み合わされてもよい。
【００５５】
＜その他の変更例＞
上記実施の形態では、第１バスバー２００において、分岐部２４０の前後方向の長さを長くするため、第１接続端子部２２０が、第１電極接続部２１０の真上位置（後側端面電極１０２とほぼ面一となる位置）に設けられた。しかしながら、分岐部２４０がＥＬＳの低減効果を十分に確保できる長さを取ることができるのであれば、第１接続端子部２２０が、上記実施の形態よりもコンデンサ素子１００の内側に入り込むような位置に設けられてもよい。
【００５６】
また、上記実施の形態では、第２バスバー３００において、第２接続端子部３２０が、第１バスバー２００の第１接続端子部２２０の隣に並ぶ位置に設けられた。しかしながら、第２接続端子部３２０が、その他の位置に設けられてもよい。
【００５７】
さらに、フィルムコンデンサ１に含まれるコンデンサ素子１００の個数は、上記実施の形態のものに限られず、必要な静電容量などに応じて、適宜、変更できる。すなわち、上記実施の形態では、４個のコンデンサ素子１００が用いられたが、これに限られることなく、１個の場合も含め、その他の個数のコンデンサ素子１００が用いられてもよい。
【００５８】
さらに、上記実施の形態では、コンデンサ素子１００は、誘電体フィルム上にアルミニウムを蒸着させた２枚の金属化フィルムを重ね、重ねた金属化フィルムを巻回または積層することで形成されたものであるが、これ以外にも、誘電体フィルムの両面にアルミニウムを蒸着させた金属化フィルムと絶縁フィルムとを重ね、これを巻回または積層することによりコンデンサ素子１００を形成してもよい。
【００５９】
さらに、上記実施の形態では、コンデンサユニット１０が収容されたケース２０に充填樹脂３０が充填される、いわゆるケースモールドタイプのフィルムコンデンサ１に本発明が適用される例が示された。しかしながら、本発明が、コンデンサユニットがケースには収容されずに外装樹脂で覆われる、いわゆるケースレスタイプのフィルムコンデンサに適用されてもよい。
【００６０】
さらに、上記実施の形態では、本発明のコンデンサの一例として、フィルムコンデンサ１が挙げられた。しかしながら、本発明は、フィルムコンデンサ１以外のコンデンサに適用することもできる。
【００６１】
この他、本発明の実施の形態は、特許請求の範囲に示された技術的思想の範囲内において、適宜、種々の変更が可能である。
【００６２】
なお、上記実施の形態の説明において「上方」「下方」等の方向を示す用語は、構成部材の相対的な位置関係にのみ依存する相対的な方向を示すものであり、鉛直方向、水平方向等の絶対的な方向を示すものではない。
【産業上の利用可能性】
【００６３】
本発明は、各種電子機器、電気機器、産業機器、車両の電装等に使用されるコンデンサに有用である。
【符号の説明】
【００６４】
１  フィルムコンデンサ（コンデンサ）
１００  コンデンサ素子
１０１  前側端面電極（他方の電極）
１０２  後側端面電極（一方の電極）
１０３  周面
２００  第１バスバー（第１のバスバー）
２００ａ  本体部
２１０  第１電極接続部（第１の電極接続部）
２１３  差込孔（差込口部）
２２０  第１接続端子部（第１の接続端子部）
２４０  分岐部
２４１  差込片（差込部）
２５０  第１左延設部（第１の覆い部）
２６０  第１右延設部（第１の覆い部）
２７０  第１下延設部（第１の覆い部）
３００  第２バスバー（第２のバスバー）
３１０  第２電極接続部（第２の電極接続部）
３２０  第２接続端子部（第２の接続端子部）
３４０  重合部
３５０  第２左延設部（第２の覆い部）
３６０  第２右延設部（第２の覆い部）
３７０  第２下延設部（第２の覆い部）
４００  第１絶縁シート（仕切部）
４０１  前端部（第２の電極接続部側の端部）
【図１】
2018173520.tif 000003
【図２】
2018173520.tif 000004
【図３】
2018173520.tif 000005
【図４】
2018173520.tif 000006
【図５】
2018173520.tif 000007
【図６】
2018173520.tif 000008
【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
互いに対向する第１端面と第２端面と、前記第１端面と前記第２端面の間を繋ぐ周面を有し、前記第１端面に配置された第１の電極と前記第２端面に配置された第２の電極を有するコンデンサ素子と、
一端部に前記コンデンサ素子の前記第１の電極に接続される第１の電極接続部を有し、他端部に外部端子へ接続可能な第１の接続端子部を有する第１のバスバーと、
一端部に前記コンデンサ素子の前記第２の電極に接続される第２の電極接続部を有し、他端部に外部端子へ接続可能な第２の接続端子部を有する第２のバスバーと、を備え、
前記第１のバスバーは、前記第１の接続端子部よりも前記第１の電極接続部に近い位置から分岐し、前記コンデンサ素子の前記周面に沿って前記第２の電極へ向かって延びる分岐部を含み、
前記第２のバスバーは、前記コンデンサ素子の前記周面に沿うとともに前記分岐部の少なくとも一部と重なり合う重合部を含む、
ことを特徴とするコンデンサ。
【請求項２】
請求項１に記載のコンデンサにおいて、
前記第１のバスバーにおいて、前記第１の電極の主面に沿う方向の延長線上に前記第１の接続端子部が設けられ、前記第１の接続端子部よりも前記第１の電極接続部に近い前記第１の電極の前記主面の外側位置から前記分岐部が分岐し、
前記第２のバスバーにおいて、前記重合部が、前記第２の電極接続部に近い位置から、前記分岐部を覆うように前記コンデンサ素子の前記周面に沿って前記第１の接続端子部へ向かって延び、前記第２の接続端子部が、前記重合部の先端から前記第１の接続端子部の隣に並ぶように延びている、
ことを特徴とするコンデンサ。
【請求項３】
請求項１または２に記載のコンデンサにおいて、
前記分岐部と前記重合部との間に介在された絶縁性の仕切部をさらに備え、
前記仕切部の前記第２の電極接続部に近い側の端部は、前記分岐部の先端部と前記第２の電極接続部との間に介在されるように、前記第２の電極接続部に沿って延びる、
ことを特徴とするコンデンサ。
【請求項４】
請求項１ないし３の何れか一項に記載のコンデンサにおいて、
第１のバスバーは、前記第１の電極接続部と前記第１の接続端子部とを含む本体部を含み、
前記分岐部は、前記本体部とは別体に形成され、
前記分岐部に設けられた差込部が前記本体部に設けられた差込口部に差し込まれることにより、前記分岐部が前記本体部に固定され、
前記差込部と前記差込口部とは、接合剤または溶接によって接合されている、
ことを特徴とするコンデンサ。
【請求項５】
請求項１ないし４の何れか一項に記載のコンデンサにおいて、
前記第１のバスバーは、前記コンデンサ素子の前記周面における、前記分岐部と前記重合部とに覆われる領域以外の所定の領域を覆うように設けられる第１の覆い部を含み、
前記第２のバスバーは、前記コンデンサ素子の前記周面における、前記分岐部と前記重合部とに覆われる領域以外の所定の領域を覆うように設けられる第２の覆い部を含み、
前記第１の覆い部と前記第２の覆い部とが互いに重なり合う、
ことを特徴とするコンデンサ。
【手続補正２】
【補正対象書類名】明細書
【補正対象項目名】０００７
【補正方法】変更
【補正の内容】
【０００７】
本発明の主たる態様に係るコンデンサは、コンデンサ素子と、第１のバスバーと、第２のバスバーと、を備える。コンデンサ素子は、互いに対向する第１端面と第２端面と、前記第１端面と前記第２端面の間を繋ぐ周面を有する。また、コンデンサ素子は、前記第１端面に配置された第１の電極と前記第２端面に配置された第２の電極を有する。第１のバスバーは、一端部に前記コンデンサ素子の第１の電極に接続される第１の電極接続部を有し、他端部に外部端子へ接続可能な第１の接続端子部を有する。第２のバスバーは、一端部に前記コンデンサ素子の第２の電極に接続される第２の電極接続部を有し、他端部に外部端子へ接続可能な第２の接続端子部を有する。ここで、前記第１のバスバーは、前記第１の接続端子部よりも前記第１の電極接続部に近い位置から分岐し、前記コンデンサ素子の前記周面に沿って前記第２の電極側へ向かって延びる分岐部を含む。前記第２のバスバーは、前記コンデンサ素子の前記周面に沿うとともに前記分岐部の少なくとも一部と重なり合う重合部を含む。
【手続補正３】
【補正対象書類名】明細書
【補正対象項目名】００１２
【補正方法】変更
【補正の内容】
【００１２】
本実施の形態において、フィルムコンデンサ１が、特許請求の範囲に記載の「コンデンサ」に対応する。また、前側端面電極１０１が、特許請求の範囲に記載の「第２の電極」に対応し、後側端面電極１０２が、特許請求の範囲に記載の「第１の電極」に対応する。さらに、第１バスバー２００が、特許請求の範囲に記載の「第１のバスバー」に対応する。さらに、第１電極接続部２１０が、特許請求の範囲に記載の「第１の電極接続部」に対応する。さらに、差込孔２１３が、特許請求の範囲に記載の「差込口部」に対応する。さらに、第１接続端子部２２０が、特許請求の範囲に記載の「第１の接続端子部」に対応する。さらに、差込片２４１が、特許請求の範囲に記載の「差込部」に対応する。さらに、第２バスバー３００が、特許請求の範囲に記載の「第２のバスバー」に対応する。さらに、第２電極接続部３１０が、特許請求の範囲に記載の「第２の電極接続部」に対応する。さらに、第２接続端子部３２０が、特許請求の範囲に記載の「第２の接続端子部」に対応する。さらに、第１絶縁シート４００が、特許請求の範囲に記載の「仕切部」に対応する。さらに、前端部４０１が、特許請求の範囲に記載の「仕切部の端部」に対応する。
【手続補正４】
【補正対象書類名】明細書
【補正対象項目名】００２２
【補正方法】変更
【補正の内容】
【００２２】
第１電極接続部２１０の上端部、即ち、第１電極接続部２１０に対して後側端面電極１０２の主面に沿う方向の延長線上に、３つの第１接続端子部２２０が設けられる。各第１接続端子部２２０は、縦長の長方形の板状を有し、互いに所定の間隔を置いて左右方向、即ち、４つのコンデンサ素子１００の配列方向（ケース２０の長手方向）に並ぶ。各第１接続端子部２２０は、その上部が僅かに前側に張り出すよう、その下部が折り曲げられている。各第１接続端子部２２０には、表裏を貫通する円形の取付穴２２１が形成される。この取付穴２２１を用いたねじ止めにより、各第１接続端子部２２０に外部端子（図示せず）が接続される。
【手続補正５】
【補正対象書類名】明細書
【補正対象項目名】００４７
【補正方法】変更
【補正の内容】
【００４７】
第１左延設部２５０と第２左延設部３５０とは、互いに重なり合い、第１右延設部２６０と第２右延設部３６０とは、互いに重なり合う。これにより、分岐部２４０と重合部３４０との構成と同様、フィルムコンデンサ１でのＥＳＬを低減する効果が期待される。
【手続補正６】
【補正対象書類名】明細書
【補正対象項目名】００５３
【補正方法】変更
【補正の内容】
【００５３】
第１下延設部２７０と第２下延設部３７０とは、互いに重なり合う。これにより、分岐部２４０と重合部３４０との構成と同様、フィルムコンデンサ１でのＥＳＬを低減する効果が期待される。
【手続補正７】
【補正対象書類名】明細書
【補正対象項目名】００５５
【補正方法】変更
【補正の内容】
【００５５】
＜その他の変更例＞
上記実施の形態では、第１バスバー２００において、分岐部２４０の前後方向の長さを長くするため、第１接続端子部２２０が、第１電極接続部２１０の真上位置（後側端面電極１０２とほぼ面一となる位置）に設けられた。しかしながら、分岐部２４０がＥＳＬの低減効果を十分に確保できる長さを取ることができるのであれば、第１接続端子部２２０が、上記実施の形態よりもコンデンサ素子１００の内側に入り込むような位置に設けられてもよい。
【国際調査報告】
2018173520.tif 000009
2018173520.tif 000010
2018173520.tif 000011
2018173520.tif 000012